(57)【要約】【課題】      携帯電話の利用度が増加するにつれて、各サービスの多様化が求めたれている。さらに、技術革新が著しい時代に、アクセスやサーバーの効率化が要求され、特に、インターネット／モバイル版音声付き動画配信サービス用携帯動画配信フォルダ・サイトの構築および情報通信方式を提供する。【解決手段】      携帯電話端末のモバイル版音声付き動画配信サービスを有効化するために、情報通信システムのサーバーに設置するホルダすなわちモバイル・サイト内に高速化処理またはサーバーの負荷軽減、一括処理のサイト、処理能力を発揮するフォルダの分散化、動画専用のフォルダよりなるサイト、新着ムービーサイトを有し、かつ、２次元コード（ＱＲコード、カラージップ、スーパージップ）を効率良く可動してなる情報通信方式の新着ムービーフォルダを具備する。【選択図】図１
2008276715.tif 000002
【特許請求の範囲】
【請求項１】
インターネット／モバイル版音声付き動画配信サービスすなわち携帯電話端末による情報通信サーバーシステムにおいて、該サーバー内に負荷軽減・高速処理、コンテンツの転送を有効化するための新着ムービーフォルダを設置、かつ、階層別に処理可能なフォルダを具備し、オリジナル携帯動画配信サイトの構築およびモバイル版ポータルサイトのサイト転送に有利な必要ファイルを一括処理して相互のサーバー間に優位転送すること、および、携帯電話端末で録画保存したムービーをメールに添付、送信して更新できることを特徴とする新着ムービーフォルダ。
【請求項２】
前記、請求項１において、カメラ付き携帯電話の音声・動画配信が可能な２次元コードすなわちＱＲコード、カラージップ、スーパージップによる情報を簡単アクセス、編集および更新が可能、かつ、アクセス分析機能付を有して成ることを特徴とする新着ムービーフォルダ。
【請求項３】
前記、請求項１において、携帯電話内にモバイル版ポータルサイトを有し、かつ、携帯電話端末を対象とした店舗・情報検索サイトを設けて成ることを特徴とする新着ムービーフォルダ。
【請求項４】
前記、請求項１において、携帯電話内にモバイル版ポータルサイトを有し、かつ、携帯電話端末を対象とした店舗・情報提供サービスを具備、オリジナルロゴ、テキスト情報、ムービー情報、店舗のＣＭ，商品の紹介、ＰＲや地図、各リンクを表示することを特徴とするモバイル・システム用情報通信ムービーフォルダ。
【請求項５】
モバイル版音声付き動画配信サービスすなわち携帯端末による情報通信サーバーシステムにおいて、携帯電話内にモバイル版ポータルサイトを有し、かつ、携帯電話端末を対象とした店舗案内等の音声付き動画および配信できることを特徴とする店舗ムービーフォルダ。
【請求項６】
モバイル版音声付き動画配信サービスすなわち携帯端末による情報通信サーバーシステムにおいて、携帯電話内にモバイル版ポータルサイトを有し、かつ、携帯電話端末を対象とした店舗管理画面の御社・店舗側での基本的な店舗情報を編集、店舗情報の更新を可能とするモバイル・システム用情報通信ムービーフォルダ。
【請求項７】
前記、請求項１、請求項２において、携帯電話内にモバイル版ポータルサイトを有し、かつ、携帯電話端末を対象とした、各専用のドメインすなわちＵＲＬの取得を有して成るモバイル版ホームページを具備したことを特徴とするモバイル・システム用情報通信ムービーフォルダ。
【発明の詳細な説明】
【技術分野】
【０００１】      本発明はカメラ付携帯電話等の携帯端末、モバイル版音声付動画配信サービスによる情報通信システムに関し、携帯電話端末を対象とした店舗・情報検索サイトおよび情報提供サービスを有し、特に、２次元コードすなわちＱＲコード、カラージップ（カラーコード）、スーパージップを介して画像・動画・音声による新商品の案内、広告宣伝、スタッフの紹介、イベント情報の告知などに関する情報において、オリジナル携帯動画配信サイトの構築を得、かつ、携帯端末で容易かつ迅速に送信・受信できるようにした情報通信システムに関する。
【背景技術】
【０００２】      従来、カメラ付携帯電話のような情報通信方式の一般利用として端末装置等の音声付動画生成による撮像した複数の静止画像を一定間隔毎に再生するスライドショーや、プロバイダのサーバー装置内に動画専用のフォルダ・サイト設置する方式が主であり、これはまた公知である（例えば特許文献１）。さらに、自社サーバー内にフォルダ・サイト（個人サーバーも含む）を設けてなる情報通信方式も周知である。【０００３】      しかし、従来の技術では各情報サービスが不十分であり、また、静止画像の切り替えタイミングや映像効果の挿入タイミングに音楽との相関性が困難で、かつ、Ｗｅｂサーバの処理フォルダ内で、動画専用フォルダとして処理されていた。【０００４】      また、映像や動画およびＣＭやミュージックビデオなどの動画は、映像効果と音楽との相乗効果のサービス、すなわち、オリジナル携帯動画配信サイトの構築が不十分であった。【０００５】      さらに、インターネットが広く普及している今、各種プロバイダのサーバー，Ｗｅｂサーバ，パソコン（ＰＣ）、携帯電話の新商品にアクセスする文字入力およびホームーページ・メールを見るためにはインターネットに接続された各ＰＣ端末・携帯端末等からＵＲＬ（Ｕｎｉｆｏｒｍ  Ｒｅｓｏｕｒｃｅ  Ｌｏｃａｔｏｒ）、登録されたメール名を入力する必要があった。【０００６】      そこで、各情報およびサービス、また、商品の販売やイベントの広告や宣伝はテレビやラジオ、あるいは新聞、雑誌等を介して行われるが、詳細内容を知るためには電話やＦＡＸ、インターネット（非特許文献１）等を利用して、販売会社や企画会社等から必要な情報を取得しているのが常であり、そこで、通信装置および通信方法（特許文献２）、および、米国ＡＴ＆Ｔ  ＣＯＲＰ．社のマルチメディア情報サービス・アクセス（特許文献３）等に見られるように、ネットワークに関する技術も進んでいる。
【特許文献１】特開２００６−３０１７７５号公報
【特許文献２】特開２００７−０１９６６１号公報
【特許文献３】特開２００７−０５３８０２号公報
【非特許文献１】コンピュータ／通信／放送標準事典、Ｐ４９９〜Ｐ５２９に示す「インターネットとその標準技術」
【発明の開示】
【発明が解決しようとする課題】
【０００７】      本発明は、このような事情に鑑みてなされたものであって、携帯電話および携帯端末は、該技術革新が著しく、「いつでもどこでもなんにでも」を可能にする、一番身近なツールであることは周知である。本発明はこのようなことから静止・文字や画像のイメージ情報を用いて所望のコンテンツすなわち内容、中身の有効なＩＴ技術で、メディアが記録・伝送し、人、利用者が観賞するひとまとまりの情報であり、映像や画像、音楽、文章あるいはそれらの組み合わせを意味し、具体的にはニュース、小説、映画、テレビ、歌、ビデオゲーム、漫画等を含む有効な処理法で、音声付動画を生成することができる。よって、本発明は、音声付動画生成方法、音声付動画生成システム、音声付動画生成サーバー装置、およびコンピューター読み取り可能な各コードを提供することを目的とする。【０００８】      さらに、電話をするためには電話番号を記憶したりメモしたりする必要があり、記憶を頼りに電話をかけたり、メモを見ながら電話をかけなければならない困難性、また、インターネットを利用する場合にもメール名やＵＲＬを入力する必要があり、メール名およびＵＲＬ操作の困難があった。つまり、メール名やＵＲＬをキー操作で入力後、クリックしてサイトにジャンプし、動画ファイルにアクセスして後に画像を送信してもらう必要があった。【０００９】      利用者としては広告媒体や各種コンテンツに直面したときに自動的にかつタイムリーに詳細情報を得られることが望ましい。商品の販売企業やイベント、キャンペーンの企画会社にとっても、顧客の手を煩わせることなく必要な情報を提供できることが、商品の販売促進、イベントの顧客吸引力を増進させることになり、経営戦略における事業戦略や知的財産戦略（特許権や営業権等）を有し、グローバル化の時代に種々新しい斬新な手法が強く望まれている。【００１０】      本発明は、上述のようなことから、その目的は、広告宣伝媒体もしくは商品に付けられた２次元コードを携帯電話等の携帯端末で読み取って、自動的に該内容を認識して画像・音声配信情報を発信して携帯端末に画像・音声情報を取得できる携帯端末による情報通信システムを提供することにある。
【課題を解決するための手段】
【００１１】      本発明は、携帯端末による情報通信システムに関し、本発明の上記目的を得るために、モバイル版ポータルサイトを有し、すなわち、携帯電話端末を対象とした店舗・情報検索サイト、および、情報提供サービスから成る。また、本提供するサイト・サービスのトップ画面および店舗画面に於いては、オリジナル・ロゴや各情報が得られる。そこで、画像・文字表示が可能な媒体にＱＲコード、カラーコード（カラージップ）、スーパジップの画像を表示するステップと、携帯端末のコード読み取り手段により前記ＱＲコードを読み取るステップと、前記読み取ったＱＲコードの情報に基づいて前記携帯端末から画像・音声配信または情報通信システム・サーバ（Ｗｅｂサーバ）に配信依頼情報を送信するステップと、前記システムから送信されて来る画像・音声を前記携帯端末で受信してリアルタイムに表示するステップとを含むインターネット（Ｗｅｂ）上の情報通信システムとすることにより達成される。【００１２】      また、本発明の上記目的は、前記、各ステップにおいて、前記画像・音声に関連する各種の画面（トップ画面および店舖画面等）やキャラクタ画像を前記ＱＲコードの上に重ねて表示することにより、或いは前記ＱＲコードの上に掲載する画像は、前記ＱＲコードの誤り訂正が可能な範囲内の領域に配置されていることにより、或いは前記ＱＲコードの上に掲載する画像が動画像であることにより、または、前記携帯端末がカメラ付き携帯電話であることにより、或いは前記媒体が、テレビ、インターネットに接続されたパソコン、電子広告塔を含む大型表示パネルを有する表示装置、または投影型表示装置であることで、より効果的に達成される。【００１３】      さらに、また、上述では情報通信システム・サーバ（Ｗｅｂサーバ）に配信依頼情報を送信して、該サーバから画像や音声を送信するようになっているが、広告宣伝企業に直接アクセスし、広告宣伝企業から直接画像や音声を送信するようにすること、および、ランキング表示、店舗検索すなわち地域（区市町村）、業種、路線、商店街、通り（街道）など、テキスト情報、ムービー情報、店舗のＣＭや商品の紹介、ＰＲや地図のリンクを表示することも可能である。【００１４】    よって、本発明の上記目的は、２次元コードすなわちＱＲコード、カラーコード（カラージップ）、スーパージップ（会社のロゴが２次元コードに）が印刷された媒体を他の媒体の表面上に剥離可能に設けるステップと、携帯端末のコード読み取り手段により前記ＱＲコードを読み取るステップと、前記読み取ったＱＲコードの情報に基づいて前記携帯端末から画像・音声配信の元、もしくはＷｅｂサーバのシステムに配信依頼情報を送信するステップと、前記システムから送信されて来る画像・音声を前記携帯端末で受信してリアルタイムに表示するステップとを含む情報通信システムとすることにより達成される。【００１５】    そこで、本発明の上記目的は、前記ＱＲコード、カラーコード、スーパージップの上に前記画像・音声に関連する画像もしくは文字情報が印刷されていることにより、或いは前記の媒体は、裏側の面に前記ＱＲコードが印刷されると共に、表側の面に前記画像・音声に関連する画像もしくは文字情報が印���されていることにより、あるいは前記の媒体がポスターもしくはパンフレットであり、その印刷面を覆うように前記の媒体が多数敷設されていることより、或いは前記の媒体が商品としての各種平面、立体であることにより、或いは前記の媒体がシールもしくはステッカであることにより、あるいは前記の媒体が前記の媒体の表面上に剥離可能に直接貼ることにより、或いは前記の媒体が透明な袋体に収容されており、前記袋体が媒体の表面上に剥離可能に貼られていることにより、より効果的に達成される。
【発明の効果】
【００１６】      本発明に於いて、携帯電話等の携帯端末を利用して動画等の画像と音声の配信を送信依頼して簡単に受信できるので、企業側から見れば商品販売の販促効果が大きく、かつ、経営戦略における事業戦略、知的財産戦略等が得られ、利用者側から見れば情報を必要とするときにその場で容易に取得できる利点がある。また、店舗画面やイベント企画を直接的に利用者および顧客に伝達できるので、企業の広告宣伝、キャンペーン手段として利用拡大が期待できる。【００１７】      さらに、利用者としても自己が所持している携帯端末から必要な画像や音声を迅速に取得できるので、より高い品質で価格が適確な商品を購入でき、密度の高い興味ある商品群やイベントに参加できると共に、企画側においても参加側においても大きな期待が得られる。【００１８】      さらに、ＱＲコード、カラーコード、スーパージップの上に画像や文字情報を重畳させて媒体に表示あるいは印刷して提示することにより、各コードの領域を向上させることが可能となる。
【発明を実施するための最良の形態】
【実施例】
【００１９】      図１は本発明の全体構成（システム）を示す概略図である。利用者（消費者）は携帯端末として携帯電話１を所持しており、プロバイダや仲介者の情報通信システム・サーバ（Ｗｅｂサーバ）２０は各企業や個人、法人からの画像（動画、静止画を含む）および音声の情報（例えば広告宣伝内容）を登録して管理している。携帯電話１はカメラによる撮像機能を有しており、各企業等の情報登録はインターネットのホームページとして機能しており、各社のホームページにはＵＲＬが付いている。Ｗｅｂサーバ（仲介者）２０は企業の商品、例えば図２に示す各コードすなわちＱＲコード５０ａ、カラーコード５０ｂ、スーパージップ（ロゴ付）５０ｃを立体花瓶（図示せず）の容器を販売するに当たり、その立体花瓶の容器の一部に２次元コードとしてＱＲコード５０ａまたはカラーコード５０ｂ、または商標（ロゴ）付スーパジップ５０ｃを印刷して貼るか、もしくはＱＲコードが印刷されたシールを貼る。これによって、立体花瓶の情報やキャンペーン情報は、プロバイダ（仲介者）、携帯電話サービスを提供しているキャリア等の情報通信システム・サーバ（Ｗｅｂサーバ）２０に登録されて管理される。【００２０】      本発案する各種コードは図２、図３に示すように２次元コードであり、特に、図３は、ＵＲＬを直接読み取る方式であり、そこで、商品とする立体花瓶の詳細情報（商品に関する情報やイベント、キャンペーン情報等）をインターネットのホームページから取得するためにＵＲＬが含まれている。従って、携帯電話１のカメラ機能は立体花瓶に付けられているＱＲコード５０ａまたは５０ｂまたは５０ｃを読み取って、ＵＲＬを解読して発信できる機能を具備している。【００２１】      さらに、本発明の図１に示すシステムを詳細に説明する。すなわち、利用者（消費者）が所有する携帯端末（携帯電話等）１がインターネット（Ｗｅｂ）２上に接続し、かつ、通信可能であり、さらに、アクセス可能にして、各利用者のパソコン（ＰＣ）３または自社・サーバ１１を介して、カメラ付携帯電話（携帯端末）１から各コードの暗号（通信・プロトコル）を解読、すなわち、各商品や各コンテンツに貼られているＱＲコード４およびモバイル・カメラ（携帯端末・カメラ）５からくる情報がインターネット（Ｗｅｂ）上のシステムに設置する情報通信システム・サーバ（Ｗｅｂサーバ）２０で処理される。そこで、一般には各情報の処理は、Ｗｅｂサーバ内の処理フォルダ８の動画専用フォルダ９で処理される。本発明は、さらに、その処理フォルダ８内に、より負荷軽減および高速処理を可能とするために、階層かつ分散を有する新規な新着ムービ・フォルダ１００を設けることによって、各種の電気通信および信号の処理を有効化し、すなわち、その階層化してなるフォルダの分散を有した新着ムービ・フォルダ１００内には、階層別にメール・フォルダ１０１、コード（ＱＲコード等）・フォルダ１０２、検索・フォルダ１０３、情報通信・フォルダ１０４、店舗・フォルダ１０５、編集および更新・フォルダ１０６、ＵＲＬ（ドメイン）・フォルダ１０７を有し、かつ、本発明が提案する情報通信システム・サーバ（Ｗｅｂサーバ）２０内に、さらに、企業の特徴（情報）を有する企業サイト（ＱＲコード・ＵＲＬ）６および、それらを監視するモバイル開・閲サイト７を設け、さらに、より効率化の制御処理としてのユーザ用動画１０を設置し、かつ、インターネット（Ｗｅｂ）２に接続可能な自社・サーバ１１に設置することにより有効なシステムを提供する。【００２２】      本システムに於いて、本提案する新着ムービーフォルダ１００内のメールフォルダ１０１は、インターネント／モバイル版音声付き動画配信サービスすなわち携帯電話端末による情報通信サーバーシステムから成り、該サーバー内に負荷軽減・高速処理、コンテンツの転送を有効化するための階層かつ分散化して成るフォルダのひとつであり、または、階層別に順次・処理可能なフォルダでもある。そこで、オリジナル携帯動画配信サイトの構築およびモバイル版ポータルサイトのサイト転送に有利な必要ファイルを一括処理して相互のサーバー間に優位転送すること、および、携帯電話端末で録画保存したムービーをメールに添付、送信して更新できるものである。【００２３】      次の、コード（ＱＲ等）フォルダ１０２は、カメラ付き携帯電話の音声・動画配信が可能な２次元コードすなわちＱＲコード、カラージップ、スーパージップによる情報を簡単アクセス、編集および更新が可能、かつ、アクセス分析機能付を有して成るものである。【００２４】      同様に、検索フォルダ１０３は、携帯電話内にモバイル版ポータルサイトを有し、かつ、携帯電話端末を対象とした店舗・情報検索サイトを設けて成る。【００２５】      以下、同様に、情報通信フォルダ１０４は、携帯電話内にモバイル版ポータルサイトを有し、かつ、携帯電話端末を対象とした店舗・情報提供サービスを具備、オリジナルロゴ、テキスト情報、ムービー情報、店舗のＣＭ，商品の紹介、ＰＲや地図、各リンクを表示することを特徴とするモバイル・システム用情報通信ムービーフォルダより成る。【００２６】      店舗フォルダ１０５は、モバイル版音声付き動画配信サービスすなわち携帯端末による情報通信サーバーシステムにおいて、携帯電話内にモバイル版ポータルサイトを有し、かつ、携帯電話端末を対象とした店舗案内等の音声付き動画および配信できる通信システム用フォルダである。【００２７】      編集・更新フォルダ１０６は、モバイル版音声付き動画配信サービスすなわち携帯端末による情報通信サーバーシステムにおいて、携帯電話内にモバイル版ポータルサイトを有し、かつ、携帯電話端末を対象とした店舗管理画面の御社・店舗側での基本的な店舗情報を編集、店舗情報の更新を可能とするモバイル・システム用情報通信フォルダである。【００２８】      ＵＲＬ・ドメインフォルダ１０７は、携帯電話内にモバイル版ポータルサイトを有し、かつ、携帯電話端末を対象とした、各専用のドメインすなわちＵＲＬの取得を有して成るモバイル版ホームページを具備したことを特徴とするモバイル・システム用情報通信フォルダであり、各フォルダは本システムとして有効に動作して成るものである。【００２９】      そこで、企業が各種の代理店であり、テレビ、画像、映像等を媒体として広告宣伝する場合、図２、図３に示すようにテレビ映像の画面にＱＲコード５０ａ、６０Ａ、６０Ｂを映像する。この場合、携帯電話１はテレビ画面上でＱＲコード５０ａ、６０Ａ、６０Ｂを読み取って解読できる機能を具備している。さらに、企業がポスターを媒体として広告宣伝する場合、同様に、ＱＲコード５０ａ、６０Ａ、６０Ｂが店頭や駅に貼られるポスターに広告宣伝と共に、ポスターの一部にＱＲコードを印刷して表示する。この場合も、携帯電話１はＱＲコードを読み取って解読し、新着ムービ・フォルダ１００内の各フォルダ１０１〜１０７で、効率よく処理される。【００３０】      よって、利用者は携帯電話サービス業者が相違する場合でも、各社のフォーマットを統一的に利用できる通信システムとなっている。つまり、利用者が所持する携帯電話１が、異なる通信サービス会社の仕様であっても自由に利用できる必要があり、図１に示すように通信サービス会社との間で「条件」や「利用者情報」を相互に通信できると共に、プロバイダおよびＷｅｂサーバ２０を介して他社の携帯電話であっても相互に通信できるようになっている。なお、上記「利用者情報」は、例えば、利用者が所有する携帯電話がどの電話会社（携帯キャリア）のどの機種なのかを示す「携帯電話情報」と、「配信依頼情報」とを含む情報である。また、「配信依頼情報」とは、自分が欲しい情報（画像・音など）をサーバ２０の情報通信システム・インターネットシステム（コンピュータシステム）に配信するよう要求する情報であり、例えば、利用者が自分の携帯電話１で読み取ったＱＲコード５０ａ、５０ｂ、５０ｃ、６０Ａ、６０Ｂに示されるアクセス先を示すアドレス情報、および利用者が要求する情報（画像、音・音声等）が何であるかを特定するための情報とを含む情報である。また、上記「条件」とは、通信サービス会社との間で決める条件であり、例えば、利用者が要求した情報を取得する際に発生するパケット料金と通信料を自己負担とするか否かを示す条件、どのような配信形態とするかを示す条件（例えば、利用者の携帯電話に配信する動画・音声の情報をストリーミング配信の形態とするか、ダウンロード可能な配信形態とするかを配信元が決定する条件）、また、２次元コード（本例ではＱＲコード、カラーコード、スーパージップ）にアクセス可能な機種が「第三世代」携帯電話であるという条件のことである。【００３１】      従って、これらの本システムで使用する携帯電話（携帯端末）１の処理および制御は周知であり、すなわち、全体の制御を行うＣＰＵには、プログラム等を格納したＲＯＭ、作業メモリーとなるＲＡＭが接続されると共に、カメラおよびカメラで撮像した画像を処理する画像処理部、処理した画像からＱＲコード（５０ａ、５０ｂ、５０ｃ、６０Ａ、６０Ｂ）等を解読する解読部、データや指示等を行う入力部より成っている。ＣＰＵには更に、表示制御部を介して表示部、無線で通信を行う通信部、音声を出力するスピーカが接続されている。なお、携帯電話１は、第三世代の携帯電話、すなわちＩＴＵ（国際電気通信連合）によって定められた「ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）」標準に合せたデジタル携帯電話であれば、ＱＲコードの解読機能などを追加することなく、本発明によるインターネット上の情報通信システム（Ｗｅｂ）を活用することができる。【００３２】      また、インターネット上の情報通信システム・サーバ（Ｗｅｂサーバ）２０の処理および制御も周知である。すなわち、全体の制御を行うＣＰＵには、プログラム等を格納したＲＯＭ、作業メモリとなるＲＡＭが接続されると共に、無線で通信を行う通信部が接続されている。また、ＣＰＵには各広告宣伝会社の情報（画像・音など）を登録する登録部、表示制御部を介した表示部、データや指示等を行う入力部、各通信サービス会社のフォーマットを変換するフォーマットを変換部が接続されている。例えば、各電話通信会社における携帯電話への情報（画像・音声および文字情報）の配信については、各社が異なるプロトコル（情報フォーマット）を使用しているため、フォーマット変換部によりプロトコル変換処理を行っている。より詳しくは、サーバ２０または配信元のインターネット（Ｗｅｂ）・コンピュータシステムでは、アクセスしてきた携帯電話１の機種を判別する「自動判別手段」と、携帯キャリアおよび携帯電話の機種に応じてプロトコルを変換して送受信する「プロトコル変換手段」とを、例えば、情報管理手段である「サーバ」に備え、自動的に書くキャリアのプロトコル（情報フォーマット）への変換処理をサーバが実行すると共に、利用者が要求する情報を自動的に連続可能とし、サーバから配信できるようにしている。なお、サーバが有する上記「自動判別手段」と、「プロトコル変換手段」、および、配信依頼情報で要求された情報を要求元の携帯電話１に送信して表示させるための「配信手段」と後述するコンテンツ選択画面を要求元の携帯電話１に送信して表示させるための「選択画面送信手段」は、本実施の形態ではそれぞれコンピュータプログラム（ソフト）で実現されている。【００３３】      このような構成において、利用者の携帯電話１の通信部およびサーバ２０の通信部はインターネットに接続されて相互に通信可能になっており、各社からの商品や企画等の宣伝広告あるいはキャンペーン、イベント情報はサーバ２０の登録部、すなわち、新着ムービフォルダ１００内の各階層別フォルダ、すなわち、メールフォルダ１０１、コードフォルダ１０２、検索フォルダ１０３、情報通信フォルダ１０４、店舗フォルダ１０５、編集・更新フォルダ１０６、ＵＲＬ・ドメインフォルダ１０７で処理され、それぞれのフォルダ内の処理法で、画像（動画、静止画）、音声等が登録されている。なお、これらの画像、音声等の情報は、オンラインまたはデータ素材の形で処理される。さらに、情報源のアドレス情報（本例ではＵＲＬ情報）で検索可能に登録部に登録されると共に、そのアドレス情報を少なくとも情報が２次元コード（好ましくはＱＲコード）として符号化される。そして、２次元コードは、表示部への画像（映像を含む）の表示が可能なテレビ、インターネットに接続された携帯電話・携帯端末、パソコン、電子広告塔や電子掲示板の大型表示パネルを有する表示装置、およびゲーム装置などの表示装置の他に、スクリーン上への映像の投影が可能な映画館の映像投影装置や家庭用プロジェクタなどの投影型表示装置に表示される。あるいは、ポスター、チラシ、看板、書籍、ステッカー、商品の容器（例えば曲面を有する立体状の容器）などの「印刷媒体」に印刷されて、利用者（視聴者や商品の購入者等）に提示される。【００３４】      そして、利用者が店頭で販売されている立体花瓶を購入したり、各店舗やテレビで旅行案内の映像を観たり、街頭でキャンペーンのポスターを見て興味を示したり、あるいは詳細情報を希望したり、あるいは動画を見たいような場合には、各種の商品やコンテンツに付けられているＱＲコード５０ａ、５０ｂ、５０ｃ、６０Ａ、６０Ｂ、あるいは、テレビの映像に映像されている各ＱＲコード、あるいはポスターに付けられている各ＱＲコード５０ａ、５０ｂ、５０ｃ、６０Ａ、６０Ｂを携帯電話１のカメラで撮像する。撮像された各ＱＲコードが画像処理部でデータ処理されると共に、解読部でＵＲＬ等が解読され、さらに表示制御部を介して表示部に表示される。【００３５】      この表示を見て利用者が入力部で所定のキーを入力（クリック）することにより、携帯電話１から配信依頼情報が通信部を介してサーバ２０に送信され、その中に含まれているＵＲＬ情報に従って各フォルダ内の登録部、すなわち、新着ムービフォルダ１００内に登録されているホームページにアクセスする。これによりアクセスされたＵＲＬのホームページの画像や音声が読み出され、通信部を介して携帯電話１に送信され、表示制御部を介して表示部に画像が表示されると共に、スピーカから音声が出力される。画像や音声はＣＭ、メイキング、キャンペーン、利用者等からの情報等である。【００３６】      従って、利用者は自分の携帯電話１でアクセスしたＵＲＬの画像を表示部で見ることができると共に、スピーカから音声を聴くことができる。【００３７】      また、ポスターは紙面にイベントや各種の情報が表示されると共に、ＱＲコードが表示されているが、ポスターの表面上に剥離可能に設けておく形態としても良い。【００３８】      各ＵＲＬ情報で特定される画像・音声（画像または音声、もしくは画像および音声）は、動画像とその音声（もしくはＣＭソング）であり、携帯電話１によるＱＲコード５０ａ、５０ｂ、５０ｃ、６０Ａ、６０Ｂの読み取り動作に連動して表示部に自動的に表示されると共に、受信した動画像と音声がＲＡＭに保存され、任意の時点で再生できるようになっている。【００３９】      また、他の応用例として広告宣伝対象の商品である「立体花瓶」にＱＲコード付写真が印刷された写真カードである場合、利用者（消費者）は、ステッカーを持ち帰って、写真カードとして利用できると共に、ＱＲコードに対応する各種の動画や文字情報を、いつでも受信して楽しめるようになっている。【００４０】      ここで、情報通信システム・サーバ（Ｗｅｂサーバ）２０は、動画再生用のアプリケーションプログラム（「再生アプリ」とする）を携帯電話１側にダウンロードして自動インストールする機能を有している。例えば、そのサーバ２０では、携帯電話１から配信依頼情報を受信した後、再生アプリが携帯電話１にインストールされていないと認識した場合には、ダウンロードの要否を示す画面データを送信して携帯電話１の表示部に表示し、利用者によるダウンロードの指示により、再生アプリのダウンロードおよびインストールを実行すると共に、自動インストールの完了後に、ＱＲコードに対応するコンテンツ（またはコンテンツ選択画面のデータ）を送信する。【００４１】      上述した実施例では、表示媒体もしくは印刷媒体にＱＲコードを印刷もしくは表示しておく場合を例として説明したが、そのＱＲコードの上にさらにキャラクタ（画像もしくは文字情報）を重畳させて印刷もしくは表示する形態としても良い。【００４２】      次に、その実施形態について説明する。まず、ＱＲコードの上に情報を掲載でき、かつ、ＱＲコードは誤り訂正機能を持っており、コードの一部に汚れや破損があっても、誤り訂正機能によりデータを復元して正常に読み取ることが可能である。【００４３】      ここでは、取得するコンテンツ（画像・音声、または文字情報、もしくはそれらを組み合わせた電子コンテンツ）に関連する動画像または静止画像「シンボル画像」として、そのシンボル画像を重畳させたＱＲコードの画像を電子広告塔やテレビ等の表示装置のディスプレイ部に表示する場合であっても良い。【００４４】      なお、商品として上述では立体花瓶を例にしたが、事務用品、ゴミ箱、スリッパ等の家庭用品、書籍、雑誌、新聞、書画、手袋や靴、ゴルフ用品等のスポーツ用品、食品、酒類や飲料等のカンや瓶もしくはペットボトル、車などにも適用でき、かつ、広告宣伝の媒体として配布される団扇や扇子、ポケットテイシュ、パッケージ、または、携帯用媒体に２次元コードを付けても良い。
【産業上の利用可能性】
【００４５】      本発明によれば、自己が所有する携帯電話等の携帯端末を利用して、動画等の画像と音声の配信を送信依頼して容易かつ迅速に受信できるので、斬新な手法のために商品販売の販促効果が大きく、かつ、経営戦略における事業戦略、知的財産戦略またイベント企画やキャンペーンを直接的に顧客に伝達できるので、企業の広告宣伝手段として利用拡大が期待できる。【００４６】      また、利用者としても自己が所持している携帯端末から必要な画像・音声情報を容易かつ迅速に取得できるので、より高い品質の商品を購買できると共に、興味のあるイベントやキャンペーンに参加できるので、商取引において大きな期待ができる。
【図面の簡単な説明】
【００４７】
【図１】本発明の全体概略システム図である。
【図２】２次元コードの一例を示す図である。
【図３】ＱＲコード・ＵＲＬの一例を示す図である。
【符号の説明】
【００４８】１                  携帯電話（携帯端末）
２                  インターネット（Ｗｅｂ）
３                  パソコン（ＰＣ）
４                  ＱＲコード
５                  モバイル・カメラ（Ｍ／Ｂ）
６                  ＱＲコード（企業ＵＲＬ）
７                  モバイル・サイト（開・閲）
８                  処理フォルダ
９                  動画専用フォルダ（一般用）
１０                ユーザ用フォルダ（動画）
１１                自社・サーバ
２０                情報通信システム・サーバ（Ｗｅｂサーバ）
１００              新着ムービフォルダ（本処理）
１０１              メールフォルダ
１０２              コードフォルダ
１０３              検索フォルダ
１０４              情報通信フォルダ
１０５              店舗フォルダ
１０６              編集・更新フォルダ
１０７              ＵＲＬ・ドメインフォルダ
５０ａ              ＱＲコード
５０ｂ              カラーコード
５０ｃ              スーパージップ（商標・ロゴ）
６０Ａ、６０Ｂ      ＵＲＬ
【図１】
2008276715.tif 000003
【図２】
2008276715.tif 000004
【図３】
2008276715.tif 000005